(57)【要約】【課題】遠隔制御又は手動制御により電子装置をオンオフ切換えするための電子切換え装置を提供する。【解決手段】交流電源に外部接続されている電子切換え装置はエネルギー貯蔵起電力を生成するための非常用電圧調整開閉器と少なくとも信号コントローラと電圧検出器と電力スイッチとを有する電気装置に接続される遠隔制御モジュールとを備えている。該遠隔制御モジュールは遠隔又は手動制御により前記電気装置をオンオフ切り替えするため前記外部電源と前記エネルギー貯蔵起電力間の切換えにより電圧差を検出後、又は信号送信機により送信された無線信号を受信した後、前記電気装置のため電源を切換える。前記遠隔制御モジュールは組立スペース及びコストを節約するため電気装置の電力効率を制限することなく電気装置に並列接続され、元の回路配線と完全に互換性を有することができる。【選択図】図３
2007159381.tif 000002
【特許請求の範囲】
【請求項１】
外部の交流（ＡＣ）電源に接続される非常用電圧調整開閉器であって、
常時短絡しており、一旦ボタンが押されて保持されると、開回路に変わる、ボタン付ばねスイッチと、
該ばねスイッチに並列接続されるエネルギー貯蔵素子と
を備え、
前記ばねスイッチが開回路になると、前記エネルギー貯蔵素子を有する分岐回路を電流が流れ、これにより、前記エネルギー貯蔵素子の両端部にエネルギー貯蔵起電力が発生することを特徴とする非常用電圧調整開閉器。
【請求項２】
前記エネルギー貯蔵起電力の電圧は前記外部ＡＣ電源の電圧より低い請求項１に記載の非常用電圧調整開閉器。
【請求項３】
前記エネルギー貯蔵素子はコンデンサーである請求項１に記載の非常用電圧調整開閉器。
【請求項４】
任意の電気装置のオン／オフ切換えを制御するため、ＡＣ電源に外部接続される非常用電圧調整開閉器を使用する電子切換え装置であって、
ばねスイッチが常時短絡しており、ボタンが押されて保持されると開回路になる、ボタン付ばねスイッチと、該ばねスイッチに並列接続されるエネルギー貯蔵素子とを有し、前記ばねスイッチが開回路になると、前記エネルギー貯蔵素子を有する分岐回路を電流が流れ、前記エネルギー貯蔵素子の両端部にエネルギー貯蔵起電力が発生する非常用電圧調整開閉器と、
前記電気装置に接続され、該電気装置のため電力を供給又は停止するための電力スイッチモジュールと、制御信号を受信後、制御回路により前記電力スイッチモジュールを制御するための信号コントローラと、前記外部電源と前記エネルギー貯蔵起電力間の切換えによる電圧差を検出すると共に前記信号コントローラに信号を送ることのできる電圧検出器とを有する遠隔制御モジュールと、
を備えていることを特徴とする電子切換え装置。
【請求項５】
前記電子切換え装置は、前記電圧調整スイッチが短絡回路になった時に無線信号を送るための信号送信機をさらに備えており、前記無線信号は前記信号コントローラにより受信され、これにより、前記電力スイッチモジュールを動作させる請求項４に記載の電子切換え装置。
【請求項６】
前記電力スイッチモジュールは、シリコン制御整流器（ＳＣＲ）、ＴＲＡＩＣ、又はＲＥＬＡＹを含んでいる請求項４に記載の電子切換え装置。
【請求項７】
前記遠隔制御モジュールは、電圧安定器をさらに備えている請求項４に記載の電子切換え装置。
【請求項８】
前記電気装置は、ランプ装置、空調機、電動扉施錠装置、又は天井扇を含んでいる請求項４に記載の電子切換え装置。
【発明の詳細な説明】
【技術分野】
【０００１】
本発明は、電気装置のためのスイッチに関し、より詳細には、遠隔制御及び手動制御の両方により操作可能な電気装置のための電子切換え装置に関する。
【背景技術】
【０００２】
現在、電気装置のための通常の遠隔制御スイッチは、一般的に、並列型の遠隔制御装置と直列型の遠隔制御装置に分類される。
【０００３】
並列型の遠隔制御装置は、図１に示されているように電気装置に接続されている。並列型の遠隔制御装置１１０は交流（ＡＣ）電源１０５に外部接続され、制御モジュール１０２は電力スイッチ１０３に接続されていると共に電気装置１０４に並列接続され、さらに、制御モジュール１０２の動作を決定するため電力スイッチ１０３に接続されている。ユーザは信号送信機１０６により制御モジュール１０２に無線信号１０７を送信し、制御モジュール１０２は、無線信号１０７を受信すると、電力スイッチモジュール１０１を開放又は短絡させ、これにより、電気装置１０４をオンオフに切換える。しかしながら、電力スイッチ１０３に制御モジュール１０２を接続するには配線を追加する必要があり、コスト及び組み立ての困難性を増大させる。
【０００４】
直列型の遠隔制御装置は図２に示されているように電気装置に接続されている。直列型の遠隔制御装置２１０は非極性の直列接続により電気装置２０４及びＡＣ電源２０５を備えた結合回路を形成する。ユーザは信号送信機２０６により制御モジュール２０２に無線信号２０７を送信し、制御モジュール２０２は無線信号２０７を受信すると、制御回路２０８により電力スイッチモジュール２０１を動作させ、これにより、電気装置２０４をオンオフ切換えする（本出願人は公知公用の技術に基づき発明したため、関連する先行技術文献について知らない）。
【発明の開示】
【発明が解決しようとする課題】
【０００５】
しかしながら、配線を追加することなく、直列型の遠隔制御装置２１０は、制御モジュール２０２を作動させるため、電力スイッチ２０３に組み込まれるように設計されなければならない。電力スイッチ２０３が開放されると、制御モジュール２０２は作動不能となり、そのため、信号送信機２０６により送信された無線信号２０７を受信することができない。さらにその上、接続回路が非極性の直列接続により形成されているため、電気装置２０４と直列型の遠隔制御装置２１０の抵抗は電圧分布に影響を及ぼす。電気装置２０４の抵抗が高過ぎる場合には、直列型の遠隔制御装置２１０のためには不十分な駆動電圧となり、直列型の遠隔制御装置２１０は適切に駆動されない。換言すれば、直列型の遠隔制御装置２１０が過度の抵抗を有している場合には、装備された電気装置２０４の電力は非常に制限されるだろう。
【０００６】
上記した点を考慮して、本発明の目的は、遠隔制御又は手動制御により電子装置をオンオフ切換えするための電子切換え装置を提供することである。
【課題を解決するための手段】
【０００７】
上記目的に基づき、本発明は、ＡＣ電源に外部接続される、非常用電圧調整開閉器を使用する電子切換え装置を提供し、その構成は、
ボタンが押されて保持されると、ばねスイッチが開回路になり、そうでない場合には短絡となる、ボタン付ばねスイッチと、このばねスイッチに並列接続されるエネルギー貯蔵素子と、電気装置に接続されると共に非常用電圧調整開閉器とＡＣ電源に直列接続され、完全に閉回路を形成すると共に電気装置に接続される、遠隔制御モジュールとを有する非常用電圧調整開閉器とを備え、遠隔制御モジュールは、少なくとも、電力スイッチモジュール、信号コントローラ、電圧検出器、及び電圧安定器を有し、信号送信機は無線制御信号を送信することができる。
【０００８】
上記した構成において、電力スイッチモジュールは、シリコン制御整流器（ＳＣＲ）、ＴＲＡＩＣ、又はＲＥＬＡＹとなるように設計され、エネルギー貯蔵素子はコンデンサーとすることができる。
【０００９】
ユーザがばねスイッチのボタンを押し、保持すると、ばねスイッチの開回路によりエネルギー貯蔵素子を有する別の分岐回路に電流が流れ、外部に接続されたＡＣ電源の電圧より低い電圧を有するエネルギー貯蔵起電力はエネルギー貯蔵素子の両端部で生成される。ユーザがばねスイッチのボタンを解除した後、ばねスイッチは短絡回路に戻り、ＡＣ電源から遠隔制御モジュールに継続して電力が供給される。この時、電圧検出器は、ＡＣ電源とエネルギー貯蔵起電力間の切換えによる電圧の変化を検出し、信号コントローラに信号を送信し、制御回路により電力スイッチモジュールの開放／短絡を制御し、電気装置のオンオフを切換える。
【００１０】
さらに、信号送信機により信号コントローラに無線信号が送信され、信号を受信後、制御回路により電力スイッチモジュールの動作も制御する。
【００１１】
その上さらに、遠隔制御モジュールは非常用電圧調整スイッチを押し下げることにより単純に電源をオフとしないが、ユーザは依然として信号送信機を備えた電気装置のオンオフを制御することができる。
【００１２】
そのため、ユーザは遠隔制御又は手動制御のいずれかにより電気装置をオン／オフにすることができる。また、電子切換え装置は回路の配線状態に従って構成可能であるため、追加コストや配線スペースが必要となることがない。
【００１３】
上記した本発明の目的、特徴及び利点をより明らかにすると共に分かりやすくするため、以下、添付した図面を参照しつつ、好適な実施例を詳細に説明する。
【００１４】
本発明のさらなる適用範囲は、後述する詳細な説明により明らかになるだろう。しかしながら、本発明の精神及び範囲内の各種変更及び修正は当業者であればこの詳細な説明から明らかであるから、本発明の好適な実施例を示す詳細な説明及び特定の例は例示だけのために与えられるものであることを理解すべきである。
【００１５】
本発明は、例示だけのために以下に与えられる詳細な説明からより十分に理解され、本発明を限定するものではない。
【発明を実施するための最良の形態】
【００１６】
図３は電気装置に接続される本発明の好適な実施例の電子切換え装置の構成図である。電気装置３４に接続される遠隔制御モジュール３０は、電力スイッチモジュール３２と、信号コントローラ３３２を有する制御モジュール３３と、電圧検出器３３３と、電圧安定器３３１とを備え、電圧安定器３３１は、外部接続されるＡＣ電源３５の入力電圧を安定させるために使用され、信号送信機３６は無線信号３７を送ることができる。
【００１７】
また、非常用電圧調整開閉器３１は、ＡＣ電源３５に外部接続されていると共に、遠隔制御モジュール３０に接続され、直列回路を形成する。非常用電圧調整開閉器３１は、ばねスイッチ３１１を有し、エネルギー貯蔵素子３１２に並列接続されている。
【００１８】
図４に示されているように、電力スイッチモジュール３２は開回路状態になるように予めセットされ、すなわち、電気装置３４は閉じた電源の切れた状態になっている。ばねスイッチ３１１のボタンはユーザにより押されないから、ばねスイッチ３１１は依然として短絡回路状態にあり、この時、電圧検出器３３３により検出された電圧値はちょうどＡＣ電源３５の電圧値となる。
【００１９】
図５に示されているように、ばねスイッチ３１１のボタンがユーザにより押されると、ばねスイッチ３１１は、ボタンが押されて保持されている間、開回路状態となり、エネルギー貯蔵素子３１２を有する分岐回路を電流が流れ、エネルギー貯蔵素子３１２の両端部でエネルギー貯蔵起電力が生成されるようになっている。この時、電圧検出器３３３は、ＡＣ電源３５の電圧より低いエネルギー貯蔵起電力の電圧値を検出する。ユーザがばねスイッチ３１１のボタンを解除すると、ばねスイッチ３１１は短絡回路に戻り、この時、電圧検出器３３３により検出された電圧値はちょうどＡＣ電源３５の電圧値になる。電圧検出器３３３は、ＡＣ電源３５からエネルギー貯蔵起電力への切換えによる電圧降下、又は、エネルギー貯蔵起電力からＡＣ電源３５への切換えによる電圧上昇を検出したときに、信号コントローラ３３２に信号を送る。
【００２０】
図６に示されているように、電圧検出器３３３は、ＡＣ電源３５とエネルギー貯蔵起電力間の切換えによる電圧変化を検出したときに、信号コントローラ３３２に信号を送り、制御回路３８により電力スイッチモジュール３２を短絡回路に制御し、電流を導き、これにより、電気装置３４はオンになる。しかしながら、電力スイッチモジュール３２が短絡回路に予めセットされた場合には、信号コントローラ３３２は電力スイッチモジュール３２を開回路に制御し、電流を遮断し、これにより、電気装置３４はオフになる。
【００２１】
図７に示されているように、ユーザは、ばねスイッチ３１１が短絡回路になると、信号送信機３６により無線信号３７を送信する。無線信号３７は、信号コントローラ３３２により受信され、短絡又は開回路となるように電力スイッチモジュール３２を制御し、電気装置３４をオン／オフにする。
【００２２】
本発明の特徴は、ユーザが電子切換え装置を使用することにより局所手動制御方法で、又は、信号送信機を介して無線信号を送信することにより遠隔制御方法で非常用調整開閉器を押し、電気装置のオン／オフを制御することができることである。
【００２３】
さらに、電子切換え装置の素子の位置は、建物内の回路回線方式と互換性を有するように変更可能である。そのため、電子切換え装置は、特に、ランプ装置、空調機、電動扉施錠装置、又は天井扇等のような電気装置に適している。
【００２４】
したがって、上記した本発明は、同一のことが多くの方法で変更可能であることは明らかである。そのような変更は本発明の精神及び範囲からの逸脱としてみなされるべきではなく、当業者にとって明らかなすべてのそのような変更は特許請求の範囲内に含まれることを意図している。
【図面の簡単な説明】
【００２５】
【図１】従来の並列型の遠隔制御切換え装置の構成図である。
【図２】従来の直列型の遠隔制御切換え装置の構成図である。
【図３】本発明の電子切換え装置の構成図である。
【図４】本発明の切換え装置が開回路の時の概略電流回路図である。
【図５】本発明の切換え装置が短絡回路の時の概略電流回路図である。
【図６】本発明の電力スイッチモジュールの変化を示す概略図である。
【図７】遠隔制御されている切換え装置の概略図である。
【図１】
2007159381.tif 000003
【図２】
2007159381.tif 000004
【図３】
2007159381.tif 000005
【図４】
2007159381.tif 000006
【図５】
2007159381.tif 000007
【図６】
2007159381.tif 000008
【図７】
2007159381.tif 000009